(57)【要約】【課題】浴槽が上下方向に変形しても目地材が動くことはなく、浴槽との間に隙間が生ずることのない浴槽目地材の設置構造を提供する。【解決手段】防水パンに載置された浴槽８の上面外周と壁面９の間を止水する目地材１４の設置構造であって、防水パンには、浴槽８を設置する浴槽設置面の外周３辺に立壁４ｃが立ち上げ形成され、この立壁４ｃに目地受け１３が浴槽８の上面と同じか高い位置に設置され、この目地受け１３に対して目地材１４が取り付けられている。【選択図】図３
2007190294.tif 000002
【特許請求の範囲】
【請求項１】
防水パンに載置された浴槽の上面外周と壁面の間を止水する目地材の設置構造であって、
防水パンには、前記浴槽を設置する浴槽設置面の外周３辺に立壁が立ち上げ形成され、該立壁に前記目地材を取り付ける目地受けを設け、該目地受けの高さを前記浴槽の上面と同じか高い位置に設定したことを特徴とする浴槽目地材の設置構造。
【請求項２】
前記防水パンの立壁の上端と、該立壁上に立設される壁パネルとの間に前記目地受けを挟み込んだことを特徴とする請求項１に記載の浴槽目地材の設置構造。
【発明の詳細な説明】
【技術分野】
【０００１】
本発明は、浴槽の上面外周を止水する目地材の設置構造に関するものである。
【背景技術】
【０００２】
従来、特許文献１に開示されているように、浴槽の上面外周を止水する見切縁を、受片と見切片の２つの部材で構成して、受片を壁パネルに固定し、この受片に見切片を取り付ける構造が存在する。
【特許文献１】実開昭５８−６１０９１号公報
【発明の開示】
【発明が解決しようとする課題】
【０００３】
上記特許文献１に開示されている構造では、壁パネルに受片を位置決めして固定する必要があり、壁パネルの建て付け状態に影響されて位置決めが難しく、確実に浴槽上面位置に見切縁を固定することが困難であった。また、浴槽が繰り返しの荷重で変形，撓むことで、その動きに追随できずに、見切縁の位置が変わり浴槽との間に隙間が生じやすいという問題点があった。
【課題を解決するための手段】
【０００４】
本発明は上記従来の問題点に鑑み案出したものであって、位置決めが容易で、浴槽との間に隙間が生じない浴槽目地材の設置構造を提供せんとするものであり、その請求項１は、防水パンに載置された浴槽の上面外周と壁面の間を止水する目地材の設置構造であって、防水パンには、前記浴槽を設置する浴槽設置面の外周３辺に立壁が立ち上げ形成され、該立壁に前記目地材を取り付ける目地受けを設け、該目地受けの高さを前記浴槽の上面と同じか高い位置に設定したことである。
【０００５】
また、請求項２は、前記防水パンの立壁の上端と、該立壁上に立設される壁パネルとの間に前記目地受けを挟み込んだことである。
【発明の効果】
【０００６】
本発明は、防水パンに載置された浴槽の上面外周と壁面の間を止水する目地材の設置構造であって、防水パンには、前記浴槽を設置する浴槽設置面の外周３辺に立壁が立ち上げ形成され、該立壁に前記目地材を取り付ける目地受けを設け、該目地受けの高さを前記浴槽の上面と同じか高い位置に設定したことにより、目地受けは防水パンの立壁に固定されるため、壁パネルの建て付け状態に影響を受けることがなく、浴槽が変形しても、目地材は初期の固定位置を保ちながら目地材の弾性部が浴槽の変形に追随するため目地材と浴槽間に隙間が生ずることがない。
【０００７】
また、前記防水パンの立壁の上端と、該立壁上に立設される壁パネルとの間に前記目地受けを挟み込んだことにより、目地受けは防水パンの立壁の上端に載せて良好に位置決めができ、壁パネルとの間に挟まれて固定されるため、別途ビス等で固定する必要がなく、また、壁パネルの建て付け状態に影響を受けることがなく、浴槽が変形しても、この変形につられて目地材が動くことはないため、目地材は初期の固定位置を保ちながら目地材の弾性部が浴槽の変形に追随するため目地材と浴槽間に隙間が生ずることがない。
【実施例】
【０００８】
以下、本発明の実施例を図面に基づいて説明する。
図１は、防水パンと浴槽の分解斜視図であり、防水パン１には、洗い場面２と浴槽設置面３が形成されており、この浴槽設置面３の洗い場面２側を除く外周３辺には、一体状に立ち上げて立壁４ａ，４ｂ，４ｃが形成されており、立壁４ａ，４ｂ，４ｃの上端は、壁パネルを載置できる略水平な壁パネル載置面５となっており、さらに壁パネル載置面５の外側には、上方へ一体状に立ち上げて水切片６が形成されている。なお、図１において、浴槽設置面３側の洗い場面２の左右には、上下に貫通した配管立ち上げ用の配管孔７ａ，７ｂが形成されている。
また、浴槽設置面３上に、立壁４ａ，４ｂ，４ｃに３面を囲まれた状態で設置される浴槽８の上面には、外側へ水平状に突出してフランジ部８ａが形成され、フランジ部８ａの外端には、下方へ垂下する垂下片８ｂが一体形成されている。
【０００９】
図２は、第１実施例の要部縦断面拡大構成図で、浴槽設置面３上に設置された浴槽８のフランジ部８ａの外周を止水するために目地材を取り付けた状態を示すものであり、目地材１２は樹脂の押出し品で形成されており、この目地材１２を取り付けるに際し、目地材受け１１が所定位置に固定される。
本例では、防水パン１の立壁４ｃの壁パネル載置面５の下方側に、ビス１０を介して目地材受け１１の固定片が固定され、この目地材受け１１には、上下の突出爪１１ａ，１１ａが形成されており、この爪１１ａ，１１ａに対し、浴槽側から水平に目地材１２の上下の爪を嵌め込んで、目地材１２を目地材受け１１に取り付け固定できるように構成されている。
【００１０】
この目地材１２の取付状態では、目地材１２の上端側が立壁４ｃに当接し、下端側が浴槽８のフランジ部８ａの上面に当接状態となって、良好に浴槽８と立壁４ｃ間の隙間を目地材１２で止水することができ、浴槽８が繰り返しの荷重で上下方向に撓みを生じても、目地材１２が防水パン側に固定されているため、浴槽８の上下方向の変形につられて目地材１２が動くことはなく、初期の固定位置を保ちながら目地材の弾性部１２ａが浴槽の変形に追随するため浴槽８との間に隙間が生ずることがなくなるものである。
また、目地材１２は目地材受け１１に対し水平方向に固定されるため、浴槽８の上下方向の変形とは関係なく目地材１２の位置が決められるために浴槽８との間に隙間が生ずることがない。
【００１１】
なお、目地材受け１１は立壁４ｃに固定するに際し、壁パネル載置面５の下方側に良好に位置決めすることができるものであり、施工が容易なものとなり、目地材受け１１に取り付けられる目地材１２は、浴槽８のフランジ部８ａの上面と同じ高さか、僅かに高い位置に設置されるものとなる。
【００１２】
なお、図３は第２実施例を示すものである。
図３では、防水パンの立壁４ｃの壁パネル載置面５に、上方に突出して係合凸条５ａを形成させておき、この係合凸条５ａに係合する凹部を下面に有する断面ブロック状の目地材受け１３を壁パネル載置面５上に載せ、さらにこの壁パネル載置面５上に載せられた目地材受け１３上に壁パネル９を建て付けて、壁パネル９の下端と防水パンの壁パネル載置面５間で目地材受け１３を挟み込んで固定したものである。
【００１３】
この目地材受け１３に対し、浴槽側から目地材１４を取り付けることができ、この目地材１４は、ブロック状の目地材受け１３に形成されている挿着孔１３ａ内に挿着できる差込部１４ａを備えており、差込部１４ａを水平方向に押し込むことで良好に目地材１４を目地材受け１３に固定できるように構成されている。
目地材１４を取り付けた状態では、目地材１４の上端が壁パネル９に当接し、下端側が浴槽８のフランジ部８ａの上面側に当接されるものである。
【００１４】
このような構成では、目地材受け１３は防水パンの壁パネル載置面５上に置くだけであるため位置決めが容易であり、また、壁パネル９との間に挟み込まれて固定されるため、固定のために別途ビス等を使用する必要がなく、固定作業を省略することができ、施工が容易なものとなり、また、目地材受け１３に取り付けられる目地材１４は防水パン側に固定されているため、浴槽８が上下方向に変形しても、これにつられて目地材１４が動くことはなく、初期の固定位置を保ちながら目地材の弾性部１４ｂが浴槽の変形に追随するため浴槽８との間に隙間が生じないものとなる。
【００１５】
なお、図４に示すものは参考例であり、図４では、壁パネル９に浴槽８の垂下片８ｂを当接させて設置し、浴槽８のフランジ部８ａ上に上面が開放された断面略コの字状の目地材受け１５をビス１７で固定させておき、この目地材受け１５に対し上方側から目地材１６を取り付けるように構成したものである。
目地材受け１５は、ビス１７でフランジ部８ａに固定される固定片１５ａから上方へ立ち上がる爪を有する爪片１５ｂ，１５ｂを備え、目地材１６は、この爪片１５ｂ，１５ｂの爪に引っ掛かる係合片１６ａ，１６ａを備えて構成されている。
【００１６】
目地材１６の取付状態では、目地材１６の上端側が壁パネル９に当接し、下端側が浴槽のフランジ部８ａに当接するものである。
このような構成では、浴槽８の上下方向の変形と共に目地材１６も浴槽と共に上下方向に動くこととなるため、防水パンの形状にかかわらず浴槽８との間に隙間が生ずることがなくなるものである。
【図面の簡単な説明】
【００１７】
【図１】防水パンと浴槽の分解斜視構成図である。
【図２】第１実施例の浴槽目地材の設置構造の縦断面拡大構成図である。
【図３】第２実施例の浴槽目地材の設置構造の縦断面拡大構成図である。
【図４】目地材の設置構造の参考例を示す縦断面構成図である。
【符号の説明】
【００１８】
１  防水パン
２  洗い場面
３  浴槽設置面
４ａ，４ｂ，４ｃ  立壁
５  壁パネル載置面
５ａ  係合凸条
６  水切片
８  浴槽
８ａ  フランジ部
８ｂ  垂下片
９  壁パネル
１０  ビス
１１  目地材受け
１１ａ  爪
１２  目地材
１２ａ  弾性部
１３  目地材受け
１３ａ  挿着孔
１４  目地材
１４ａ  差込部
１４ｂ  弾性部
【図１】
2007190294.tif 000003
【図２】
2007190294.tif 000004
【図３】
2007190294.tif 000005
【図４】
2007190294.tif 000006